(57)【要約】      （修正有）【課題】商用電源が利用できない場所においても栽培室内において植物を栽培することができる設置場所の自由度が高い植物栽培装置を提供する。【解決手段】植物９１を栽培する植物栽培装置１１であって、内部２２に植物を収容するコンテナー２１と、コンテナーに取り付けられ、水力、風力及び太陽光よりなる群より選ばれる少なくとも１のエネルギーを電力に変換する発電手段３１，４１と、発電手段によって発電された電力を含む電力によって発光し、コンテナー内部の植物を照らす照明手段６１と、を備えてなる、植物栽培装置である。発電手段が、太陽光を電力に変換する太陽電池３５を含んでなるものであってもよい。【選択図】図３
0003158682.tif 000002
【実用新案登録請求の範囲】
【請求項１】
植物を栽培する植物栽培装置であって、
内部に植物を収容するコンテナーと、
コンテナーに取り付けられ、水力、風力及び太陽光よりなる群より選ばれる少なくとも１のエネルギーを電力に変換する発電手段と、
発電手段によって発電された電力を含む電力によって発光し、コンテナー内部の植物を照らす照明手段と、
を備えてなる、植物栽培装置。
【請求項２】
発電手段が、太陽光を電力に変換する太陽電池を含んでなる、請求項１に記載の植物栽培装置。
【請求項３】
太陽電池が、コンテナーの上面に取り付けられるものである、請求項２に記載の植物栽培装置。
【請求項４】
発電手段が、風力を電力に変換する風力発電器を含んでなる、請求項２又は３に記載の植物栽培装置。
【請求項５】
発電手段によって発電された電力を蓄電する蓄電手段を、さらに備えるものである、請求項１乃至４のいずれか１に記載の植物栽培装置。
【請求項６】
照明手段が発光ダイオードを含んでなる、請求項１乃至５のいずれか１に記載の植物栽培装置。
【請求項７】
コンテナーが汎用コンテナーによって構成されるものである、請求項１乃至６のいずれか１に記載の植物栽培装置。
【考案の詳細な説明】
【技術分野】
【０００１】
本考案は、植物栽培装置に関し、より詳細には、設置場所の自由度が高い植物栽培装置に関する。
【背景技術】
【０００２】
野菜、果物、花卉等のような植物は、これまで田畑や果樹園等といった開放された自然の場所で栽培されることが多かったが、近年では、異物付着防止、病原菌感染防止、スペースの有効利用等を目的として人工的に設けられた栽培室内で栽培されることも知られている（例えば、特許文献１参照）。
【０００３】
特許文献１には、「植物の水耕栽培による育成に際して、多段の棚１０１を備えた育成棚１０２の各棚１０１上にそれぞれ栽培容器１０３を載置するとともに、各棚１０１に設けた照明装置１０４によって上記各栽培容器１０３に植えられた植物を照明する（直接照明方式）ことでその生育を促進させるようにした水耕栽培装置１００が使用されることが多い。そして、この場合、上記育成棚１０２を、空調された栽培室１０７内に設置して、最適な育成環境で植物の育成を行なうのが通例であり、また、上記照明装置１０４として、各棚１０１の上方位置に、直状の蛍光灯１０５を複数本配置して構成する」（特許文献１、段落番号０００２）ことが開示されている。
そして、特許文献１においては、「植物の育成において、イニシャルコスト及びランニングコストを低く抑えるとともに、高い生産性と高品質の植物育成を実現する水耕栽培装置の提供」（特許文献１、要約の課題）を課題としてなされた「栽培室１内に、養液Ｌが貯留される栽培容器３の底壁の下面に複数の照明器４を取付けてなる栽培器ユニット２を上下方向に所定間隔をもって多段に配置する一方、該養液Ｌを、養液タンク２５と各栽培器ユニット２の各養液容器３の間で循環させ、循環経路中に冷却ユニット２７を介設し、各養液容器３からの還流養液Ｌを放熱冷却して各養液容器３へ供給する。照明器４、４側からの熱の一部は栽培容器３の底壁を介して養液Ｌに吸収され、下段側の栽培器ユニット２の植物１１に伝達される熱量が減少し、植物１１への熱影響が軽減され、上段側の栽培器ユニット２と下段側の栽培器ユニット２の配置間隔を狭めて、その配置段数を増加させて空間の有効利用度を高めることができる。」（特許文献１、要約の解決手段）ものが提案されている。
【先行技術文献】
【特許文献】
【０００４】
【特許文献１】特開２００９−３４０６４号公報（例えば、段落番号０００１〜００１０、００１９、第１図、第５図、要約等）
【考案の概要】
【考案が解決しようとする課題】
【０００５】
確かに、特許文献１の水耕栽培装置によれば、「上段側の栽培器ユニット２と下段側の栽培器ユニット２の配置間隔が狭められることで、上記照明器４の照明効率が高められる。この結果、例えば、照明効率の向上分だけ照明器４の配置個数を減らせて照明用の電力消費を抑えることで、水耕栽培装置のランニングコストのさらなる低減が期待できる」（特許文献１、段落番号００１９）が、照明用の電力は商用電源によって供給されることを前提とするものであるため、商用電源が利用可能な場所でなければ植物栽培を行うことができず、設置場所が限られるという問題があった。
そこで、本考案では、商用電源が利用できない場所においても栽培室内において植物を栽培することができる設置場所の自由度が高い植物栽培装置を提供することを目的とする。
【課題を解決するための手段】
【０００６】
本考案の植物栽培装置（以下、「本装置」という。）は、植物を栽培する植物栽培装置であって、内部に植物を収容するコンテナーと、コンテナーに取り付けられ、水力、風力及び太陽光よりなる群より選ばれる少なくとも１のエネルギーを電力に変換する発電手段と、発電手段によって発電された電力を含む電力によって発光し、コンテナー内部の植物を照らす照明手段と、を備えてなる、植物栽培装置である。
本装置は、内部に植物を収容するコンテナーと、コンテナーに取り付けられる発電手段と、コンテナー内部の植物を照らす照明手段と、を備えてなる。
コンテナーは、本装置が栽培を目的とする植物をコンテナーの内部に収容し、該植物を栽培する。
発電手段は、コンテナーに取り付けられると共に、水力、風力及び太陽光よりなる群より選ばれる少なくとも１のエネルギーを電力に変換する。発電手段としては、例えば、水力を電力に変換するものであれば水車とそれによって駆動される発電器との組み合わせや、風力を電力に変換するものであれば風車とそれによって駆動される発電器との組み合わせ（風力発電器）や、太陽光を電力に変換するものであれば太陽電池等を例示することができる。なお、発電手段のコンテナーへの取り付けは、発電手段をコンテナーへ別部材を介さず直接取り付ける場合のみならず、発電手段をコンテナーへ別部材を介して間接に取り付ける場合も含む。
照明手段は、発電手段によって発電された電力を含む電力によって発光し、コンテナー内部の植物を照らす。
以上のように、本装置によれば、コンテナーに取り付けられた発電手段が、本装置周囲に存する水力、風力及び太陽光よりなる群より選ばれる少なくとも１のエネルギーを電力に変換し、発電手段によって発電された電力を含む電力によって照明手段が発光しコンテナー内部の植物を照らすことによって、コンテナ内部に収容された植物は照明手段からの光を受けることで生育する。このため本装置を用いれば、発電手段によって発電された電力により照明手段が発光しコンテナー内部の植物を照らして植物を栽培することができるので、本装置は、商用電源が利用できない場所においてもコンテナー内部（栽培室内）において植物を栽培することができることから、本装置の設置場所は商用電源の利用可否に影響を受けず自由度が高い。
なお、照明手段は、発電手段によって発電された電力（以下、「発電電力」という。）を含む電力で発光するものであり、発電電力以外の電力が利用可能な環境であれば発電電力と併せて発電電力以外の電力も用いてもよいが（この場合でも発電電力によって発電電力以外の電力の負荷が小さくなるので、発電電力がない場合に比して本装置の設置場所の自由度が高まる）、発電電力のみで発光するようにすれば本装置の設置場所の自由度が一層高まる。
【０００７】
本装置においては、発電手段が、太陽光を電力に変換する太陽電池を含んでなるもの（以下、「太陽電池保持本装置」という。）であってもよい。
太陽光はいずれの場所でも利用可能な無尽蔵なエネルギーであると共に、太陽電池によって太陽光を電力に変換する過程において不要な物質を排出しないことから、本装置の発電手段が、太陽光を電力に変換する太陽電池を使用するものであってもよい。
【０００８】
太陽電池保持本装置の場合、太陽電池が、コンテナーの上面に取り付けられるものであってもよい。
コンテナーは、通常、広い上面を有しているので、太陽電池をこのコンテナーの上面に取り付ければ、太陽電池のコンテナーへの取り付けを容易ならしめると共に、比較的高い位置（上面）に太陽電池を配置できるので、他の物（例えば、雑草や樹木等）によって太陽光が遮られることを防止又は減少させ太陽電池への日当たりを良好にして効率よい発電を可能ならしめる。
【０００９】
太陽電池保持本装置の場合、発電手段が、風力を電力に変換する風力発電器を含んでなるものであってもよい。
こうすることで発電手段が太陽電池と風力発電器とを含んでなるので、風が強い時は風力発電器による発電量が増加し、太陽光線が強い時は太陽電池による発電量が増加する。従って、曇ったり夜間のように太陽光線が弱い場合であっても風が強いときには風力発電器の発電量が大きくなり（太陽電池の発電量は小さくなる）、逆に、風が弱い場合であっても晴れた日中のように太陽光線が強いときには太陽電池の発電量が大きくなるので（風力発電器の発電量は小さくなる）、太陽電池と風力発電器とで発電量を補完し合うことができる。
【００１０】
本装置においては、発電手段によって発電された電力を蓄電する蓄電手段を、さらに備えるものであってもよい。
発電手段は、水力、風力及び太陽光よりなる群より選ばれる少なくとも１のエネルギーを電力に変換するので、電力へ変換するエネルギーの変化によって発電手段の発電量も変化する（例えば、電力へ変換するエネルギーが水力であれば水量の変化により発電量も変化し、電力へ変換するエネルギーが風力であれば風速の変化により発電量も変化し、そして電力へ変換するエネルギーが太陽光であれば太陽光線の照射量により発電量も変化する。）。このため発電手段の発電量が減少した際にも、照明手段がコンテナー内部の植物を照らして植物を効率的に栽培することができるように、発電量が多いときに余剰電力（照明手段がコンテナー内部の植物を照らす等のように本装置が消費する電力を上回る分）を蓄電手段に蓄電しておき、発電量が減少したときに蓄電手段が蓄電している電力を使用して照明手段がコンテナー内部の植物を照らすようにしてもよい。
【００１１】
本装置においては、照明手段が発光ダイオードを含んでなるものであってもよい。
発光ダイオード（ＬＥＤ）は、電力あたりの発光量（発光効率）が大きく、発熱が小さいことから、電力を用いた光源に多用されている。本装置において照明手段が発光ダイオードを含めば、発光効率が大きいことに基づき、水力、風力及び太陽光よりなる群より選ばれる少なくとも１のエネルギーを発電手段が変換した電力（商用電源に比して大きな電力を得るのは困難なことが多い）を用いて効果的に植物を照らすことができると共に、発熱が小さいことから、コンテナー内部の温度上昇を抑える（余分な空調を不要とする）と共に、照明手段（発光ダイオード）を植物に近づけることができ（照明手段の発熱が大きければ、照明手段を植物に近づけると植物が加熱され悪影響が生じる）、この点からも効果的に植物を照らすことができる。
【００１２】
本装置においては、コンテナーが汎用コンテナーによって構成されるものであってもよい。
コンテナーは、内部に目的とする植物を収容でき、発電手段及び照明手段を取り付けることができるようなものであれば、特に制限なく用いることができるが、汎用コンテナーによって構成するようにしてもよい。汎用コンテナーは、いわゆる１２フィートコンテナー、２０フィートコンテナー及び３０フィートコンテナー等が用いられており（例えば、社団法人全国通運連盟のインターネットホームページhttp://www.t-renmei.or.jp/reference/yougo/index.html）、高強度、高耐久性及び高寿命であることや汎用物のため比較的低価格であること等から、本考案のコンテナーを構成するのに好適に用いることができる。また、汎用コンテナーは、内部に物品を収容した状態で輸送することを前提としたものであるので、本装置を様々な場所に移設し使用することに十分耐えうる。
【図面の簡単な説明】
【００１３】
【図１】一実施形態の本考案の植物栽培装置（本装置）を示す図である。
【図２】図１（ａ）のＢ−Ｂ断面図である。
【図３】図１（ｂ）のＣ−Ｃ断面図である。
【考案を実施するための形態】
【００１４】
本考案の実施の形態を図面を参照して詳述するが、本考案はこれに限定されるものではない。
【００１５】
図１は、一実施形態の本考案の植物栽培装置（本装置）１１を示す図（具体的には、図１（ａ）は本装置１１の正面図であり、図１（ｂ）は本装置１１の左側面図（図１（ａ）中の矢印Ａ方向から見たところを示している）である。）であり、図２は図１（ａ）のＢ−Ｂ断面図であり、そして図３は図１（ｂ）のＣ−Ｃ断面図である。図１〜図３を参照して、本装置１１について説明する。
本装置１１は、大まかには、中空の内部２２を有する略直方体形状をしたコンテナー２１と、コンテナー２１の上面２３に配設された太陽電池発電器３１と、コンテナー２１の上面２３に取り付けられた風力発電器４１と、太陽電池発電器３１及び風力発電器４１により発電される電気を蓄電する蓄電池５１と、栽培トレー９３をコンテナー２１の内部２２で支持する支持棚８１（図２、図３）と、コンテナー２１の内部２２に取り付けられたライト６１（図２、図３）と、栽培トレー９３内部に循環される液体の植物栽培液（以下、「液肥」という）を貯留する液肥タンク７１（図３）と、液肥を圧送し循環させる液肥ポンプ７３（図３）と、を有してなる。
なお、ここでは本装置１１は、コンテナー２１の底面２５が図示しない水平な面（地面）に面するように設置された状態を示しており、図中、（鉛直）上方向を矢印Ｄ１にて、（鉛直）下方向を矢印Ｄ２にて、それぞれ示している。
【００１６】
コンテナー２１は、約２．５ｍ×約２．５ｍ×約６ｍ程度の略直方体形状をした汎用コンテナー（所謂、２０フィートコンテナと呼ばれる）によって形成されており、一般的な貨物自動車（トラック）により自由に搬送することができる。なお、コンテナー２１は上記の大きさのものに限定されるものでないことは言うまでもなく、例えば、上記では長さ約６ｍのものを用いたが、これより長い約６ｍ〜１２ｍ程度のものも好適に用いることができる。貨物自動車（トラック）によりコンテナー２１が搬送される際に、貨物自動車（トラック）の荷台に形成された凸部（不図示）に係合する凹部２５ｃがコンテナー２１の底面２５に形成されており、貨物自動車（トラック）の荷台にコンテナー２１が載置されると凸部（不図示）に凹部２５ｃが係合することで貨物自動車（トラック）の荷台にコンテナー２１が固定され、安全に貨物自動車（トラック）によりコンテナー２１を搬送することができる。コンテナー２１は、コンテナー２１が形成する該略直方体の６面のうち１面（約２．５ｍ×約２．５ｍ）に開閉扉２６ａ、２６ｂが開閉自在に取り付けられており、開閉扉２６ａ、２６ｂを開けることでコンテナー２１の内部２２と外部２９とを連通させることができると共に、開閉扉２６ａ、２６ｂを閉じることでコンテナー２１の内部２２と外部２９とを気密的に絶縁することができる（外部２９から内部２２への異物進入を防止する）。なお、コンテナー２１が形成する該略直方体の６面のうち開閉扉２６ａ、２６ｂが取り付けられていない残りの５面はいずれも気密的に閉じられている。このように開閉扉２６ａ、２６ｂを閉じることでコンテナー２１の内部２２と外部２９とは気密的に絶縁されることから、コンテナー２１の内部２２への異物の進入を防止しコンテナー２１の内部２２を無菌状態に保つことができる。
【００１７】
太陽電池発電器３１はここではコンテナー２１の上面２３に５個配設されているが、５個いずれも同様の構成を有している。具体的には、いずれの太陽電池発電器３１も、コンテナー２１の上面２３に取り付けられた支持具３３と、支持具３３により支持された太陽電池パネル３５と、を有してなり、全ての太陽電池発電器３１はコンテナー２１の上面２３に存する線分（ここではコンテナー２１が形成する前記略直方体の４辺に略平行）に沿って配設されている。そして、いずれの太陽電池パネル３５もコンテナー２１の上面２３に対してほぼ同じ角度をなすように取り付けられており、さらにここでは全ての太陽電池パネル３５の表面３５ａ（上面）が一平面に属するように取り付けられている。この太陽電池パネル３５の表面３５ａに太陽光線が照射されることにより太陽電池パネル３５が発電する。
【００１８】
風力発電器４１は、コンテナー２１の上面２３に下端が取り付けられた支持棒４２と、支持棒４２の上端に取り付けられ発電器（不図示）を収容する発電器収納部４３と、発電器収納部４３に収容された該発電器（不図示）に取り付けられた羽根部４４（風車）と、を有してなる。羽根部４４はプロペラ形状を有し、コンテナー２１の上面２３に略平行な軸を中心に回転する該発電器（不図示）の回転軸に羽根部４４は取り付けられている。このため羽根部４４に風が当たると該発電器（不図示）の回転軸が回転し、該発電器（不図示）が発電する。
【００１９】
このような太陽電池発電器３１及び風力発電器４１を用いれば、風が強い時は風力発電器４１による発電量が増加し、太陽光線が強い時は太陽電池発電器３１による発電量が増加するので、曇ったり夜間のように太陽光線が弱いが風が強いときには風力発電器４１の発電量が大きくなり（太陽電池発電器３１の発電量は小さくなる）、晴れた日中のように太陽光線が強いが風が弱いときには太陽電池発電器３１の発電量が大きくなるので（風力発電器４１の発電量は小さくなる）、太陽電池発電器３１と風力発電器４１とで発電量を補完し合うことができる。無論、晴れた日中のように太陽光線が強くさらに風も強いときには、太陽電池発電器３１の発電量と風力発電器４１の発電量とも大きくなる。
【００２０】
蓄電池５１はここでは鉛蓄電池によって形成されており、太陽電池発電器３１及び風力発電器４１により発電された電気を蓄電できるようになっている。
本装置１１が有する図示しない制御部に蓄電池５１は接続されており、蓄電池５１に蓄電された電力は、所定時間帯に所定強度にてライト６１を点灯させると共に、液肥ポンプ７３を駆動するために該制御部（不図示）により必要に応じて用いられる。
【００２１】
支持棚８１は、図２に示すように、ここではコンテナー２１の内部２２に一対配設されており、いずれの支持棚８１も同様の構成を有している。支持棚８１はコンテナー２１の内部２２の床面に載置され固定されており、下方から上方に向かってここでは４段の栽培トレー９３を支持している（従って、１個の支持棚８１が４個の栽培トレー９３を支持しているので、２個（一対）の支持棚８１では計８個の栽培トレー９３が支持されている。）。
ここでは８個の栽培トレー９３が存するが、いずれの栽培トレー９３も同様の形状及び寸法を有する両端が閉じた樋状の形状（有底無蓋）を有し、いずれの栽培トレー９３もその長手方向に沿って複数の植物９１の根（不図示）が収容されると共に、液肥が供給（収容）されることで、栽培トレー９３の内部で液肥に植物９１の根（不図示）が接触し、植物９１の根（不図示）が液肥を吸収し植物９１が成長するようになっている。
【００２２】
ライト６１は、コンテナー２１の内部２２の天井部分に複数が取り付けられており、上述の如く、太陽電池発電器３１及び風力発電器４１によって発電された電力を用いて前記制御部（不図示）が所定の時間帯に点灯させる。本装置１１には複数のライト６１が取り付けられているが、ここではいずれも同じものが用いられており、ライト６１は発光体として発光ダイオードが用いられており、これらの発光ダイオードに給電されることでライト６１が発光する。
なお、本装置１１が栽培を目的とする植物９１が生育するために必要とする波長の光を、ライト６１は放射することができるようなものが用いられている。
【００２３】
液肥タンク７１（図３参照）は、栽培トレー９３に供給される液肥を貯留するタンクであり、液肥ポンプ７３（図３参照）は液肥タンク７１に貯留された液肥を栽培トレー９３に圧送するポンプである。液肥ポンプ７３は液肥タンク７１に貯留された液肥を全て（ここでは８個）の栽培トレー９３の一端に圧送し、栽培トレー９３の他端から溢流する液肥は図示しない導管によって収集され液肥タンク７１に流入することで、液肥は液肥タンク７１とそれぞれの栽培トレー９３との間を循環する。
なお、液肥は、本装置１１が栽培を目的とする植物９１が生育するために必要とする養分や水分等を含むものであり、植物９１の栽培開始時に調製され液肥タンク７１に注入されるが、必要に応じ、液肥が減少した際には液肥タンク７１に補充され、そして液肥が腐敗等によって劣化した場合には交換される。
【００２４】
本装置１１の使用方法について簡単に説明する。
第１に、所望の設置場所に本装置１１を設置する。通常、本装置１１を所望の設置場所に搬送する必要があるが、この搬送方法は様々な方法を用いることができる。例えば、貨物自動車（トラック）の荷台に本装置１１（コンテナー２１）を載置し、貨物自動車（トラック）を移動させることで本装置１１を所望の設置場所に搬送してもよい（この場合、貨物自動車（トラック）の荷台に形成された凸部（不図示）に凹部２５ｃを係合させることで貨物自動車（トラック）の荷台に本装置１１（コンテナー２１）を固定してもよい。）。なお、この搬送行程においては、液肥の漏洩等を防止するため液肥を液肥タンク７１から抜き取っておくことが好ましく、更に必要に応じ、栽培トレー９３、太陽電池発電器３１、風力発電器４１、蓄電池５１及び支持棚８１等についても適宜取り外したり分解した状態で本装置１１を搬送し所望設置場所にて組み立てを行ってもよい。
第２に、必要量の液肥を調製し液肥タンク７１に注入する。
第３に、栽培トレー９３に植物９１を配置する。
第４に、前記制御部（不図示）にライト６１の点灯時間や液肥ポンプ７３の運転条件等を記憶させ、運転を開始する。
なお、これら第２及び第３の作業は適宜順序を入れ替えてもよい。
この状態で本装置１１を運転することで、栽培トレー９３の内部で液肥に植物９１の根（不図示）が接触し植物９１の根（不図示）が液肥を吸収すると共に、ライト６１から照射される光を植物９１が受け、植物９１を生育させて適宜収穫等を行うことができる。そして、また別の場所に本装置１１を移動させて別の植物９１を栽培することもできる。
【００２５】
以上説明したように、本装置１１は、植物９１を栽培する植物栽培装置であって、内部２２に植物９１を収容するコンテナー２１と、コンテナー２１に取り付けられ、水力、風力及び太陽光よりなる群より選ばれる少なくとも１のエネルギー（ここでは風力と太陽光）を電力に変換する発電手段（太陽光を電力に変換する太陽電池発電器３１と、風力を電力に変換する風力発電器４１と、により構成される。）と、発電手段（太陽電池発電器３１及び風力発電器４１）によって発電された電力を含む電力（ここでは発電手段（太陽電池発電器３１及び風力発電器４１）によって発電された電力のみ）によって発光し、コンテナー２１内部２２の植物９１を照らす照明手段（ここでは複数のライト６１）と、を備えてなる、植物栽培装置である。
そして、本装置１１においては、発電手段（太陽電池発電器３１及び風力発電器４１）が、太陽光を電力に変換する太陽電池（太陽電池発電器３１の太陽電池パネル３５）を含んでなる。
本装置１１においては、太陽電池（太陽電池発電器３１の太陽電池パネル３５）が、コンテナー２１の上面２３に取り付けられるものである。
更に、本装置１１においては、発電手段（太陽電池発電器３１及び風力発電器４１）が、風力を電力に変換する風力発電器４１を含んでなる。
加えて、本装置１１においては、発電手段（太陽電池発電器３１及び風力発電器４１）によって発電された電力を蓄電する蓄電手段（ここでは蓄電池５１）を、さらに備えるものである。
また、本装置１１においては、照明手段（複数のライト６１）が発光ダイオードを含んでなる。
本装置１１においては、コンテナー２１が汎用コンテナー（所謂、２０フィートコンテナ）によって構成されるものである。
【符号の説明】
【００２６】
１１            本装置
２１            コンテナー
２２            内部
２３            上面
２５            底面
２５ｃ          凹部
２６ａ、２６ｂ  開閉扉
２９            外部
３１            太陽電池発電器
３３            支持具
３５            太陽電池パネル
３５ａ          表面
４１            風力発電器
４２            支持棒
４３            発電器収納部
４４            羽根部
５１            蓄電池
６１            ライト
７１            液肥タンク
７３            液肥ポンプ
８１            支持棚
９１            植物
９３            栽培トレー
【図１】
0003158682.tif 000003
【図２】
0003158682.tif 000004
【図３】
0003158682.tif 000005
【手続補正書】
【提出日】平成22年2月4日(2010.2.4)
【手続補正１】
【補正対象書類名】実用新案登録請求の範囲
【補正対象項目名】請求項１
【補正方法】変更
【補正の内容】
【請求項１】
植物を栽培する植物栽培装置であって、
内部に植物を収容するコンテナーと、
コンテナーに取り付けられ、水力、風力及び太陽光よりなる群より選ばれる少なくとも１のエネルギーを電力に変換する発電手段と、
発電手段によって発電された電力によって発光し、コンテナー内部の植物を照らす照明手段と、
を備えてなる、植物栽培装置。
【手続補正２】
【補正対象書類名】明細書
【補正対象項目名】０００６
【補正方法】変更
【補正の内容】
【０００６】
本考案の植物栽培装置（以下、「本装置」という。）は、植物を栽培する植物栽培装置であって、内部に植物を収容するコンテナーと、コンテナーに取り付けられ、水力、風力及び太陽光よりなる群より選ばれる少なくとも１のエネルギーを電力に変換する発電手段と、発電手段によって発電された電力によって発光し、コンテナー内部の植物を照らす照明手段と、を備えてなる、植物栽培装置である。
本装置は、内部に植物を収容するコンテナーと、コンテナーに取り付けられる発電手段と、コンテナー内部の植物を照らす照明手段と、を備えてなる。
コンテナーは、本装置が栽培を目的とする植物をコンテナーの内部に収容し、該植物を栽培する。
発電手段は、コンテナーに取り付けられると共に、水力、風力及び太陽光よりなる群より選ばれる少なくとも１のエネルギーを電力に変換する。発電手段としては、例えば、水力を電力に変換するものであれば水車とそれによって駆動される発電器との組み合わせや、風力を電力に変換するものであれば風車とそれによって駆動される発電器との組み合わせ（風力発電器）や、太陽光を電力に変換するものであれば太陽電池等を例示することができる。なお、発電手段のコンテナーへの取り付けは、発電手段をコンテナーへ別部材を介さず直接取り付ける場合のみならず、発電手段をコンテナーへ別部材を介して間接に取り付ける場合も含む。
照明手段は、発電手段によって発電された電力によって発光し、コンテナー内部の植物を照らす。
以上のように、本装置によれば、コンテナーに取り付けられた発電手段が、本装置周囲に存する水力、風力及び太陽光よりなる群より選ばれる少なくとも１のエネルギーを電力に変換し、発電手段によって発電された電力によって照明手段が発光しコンテナー内部の植物を照らすことによって、コンテナ内部に収容された植物は照明手段からの光を受けることで生育する。このため本装置を用いれば、発電手段によって発電された電力により照明手段が発光しコンテナー内部の植物を照らして植物を栽培することができるので、本装置は、商用電源が利用できない場所においてもコンテナー内部（栽培室内）において植物を栽培することができることから、本装置の設置場所は商用電源の利用可否に影響を受けず自由度が高い。
なお、照明手段は、発電手段によって発電された電力（以下、「発電電力」という。）で発光するものであり、発電電力以外の電力が利用可能な環境であれば発電電力と併せて発電電力以外の電力も用いてもよいが（この場合でも発電電力によって発電電力以外の電力の負荷が小さくなるので、発電電力がない場合に比して本装置の設置場所の自由度が高まる）、発電電力のみで発光するようにすれば本装置の設置場所の自由度が一層高まる。
【手続補正３】
【補正対象書類名】明細書
【補正対象項目名】００２５
【補正方法】変更
【補正の内容】
【００２５】
以上説明したように、本装置１１は、植物９１を栽培する植物栽培装置であって、内部２２に植物９１を収容するコンテナー２１と、コンテナー２１に取り付けられ、水力、風力及び太陽光よりなる群より選ばれる少なくとも１のエネルギー（ここでは風力と太陽光）を電力に変換する発電手段（太陽光を電力に変換する太陽電池発電器３１と、風力を電力に変換する風力発電器４１と、により構成される。）と、発電手段（太陽電池発電器３１及び風力発電器４１）によって発電された電力（ここでは発電手段（太陽電池発電器３１及び風力発電器４１）によって発電された電力のみ）によって発光し、コンテナー２１内部２２の植物９１を照らす照明手段（ここでは複数のライト６１）と、を備えてなる、植物栽培装置である。
そして、本装置１１においては、発電手段（太陽電池発電器３１及び風力発電器４１）が、太陽光を電力に変換する太陽電池（太陽電池発電器３１の太陽電池パネル３５）を含んでなる。
本装置１１においては、太陽電池（太陽電池発電器３１の太陽電池パネル３５）が、コンテナー２１の上面２３に取り付けられるものである。
更に、本装置１１においては、発電手段（太陽電池発電器３１及び風力発電器４１）が、風力を電力に変換する風力発電器４１を含んでなる。
加えて、本装置１１においては、発電手段（太陽電池発電器３１及び風力発電器４１）によって発電された電力を蓄電する蓄電手段（ここでは蓄電池５１）を、さらに備えるものである。
また、本装置１１においては、照明手段（複数のライト６１）が発光ダイオードを含んでなる。
本装置１１においては、コンテナー２１が汎用コンテナー（所謂、２０フィートコンテナ）によって構成されるものである。